(57)【要約】【課題】複数枚のシート状の手袋積み重ねられた積層体を保持する手袋保持具において、左右両手用として兼用するのに適した手袋保持具を提供すること。【解決手段】複数枚のシート状の手袋７が同じ向きで積み重ねられた積層体８を保持する手袋保持具Ａ１であって、手袋７は、互いの周縁部がつなげられた背面側シートおよび正面側シートが重なり合うとともに手首側に挿入口７３を有し、かつ、上記背面側シートにおいて上記正面側シートよりも手首側に延出する手首側延出部を有する構成とされており、積層体８を支持するための支持板１と、積層体８における手袋７の上記手首側延出部を支持板１との間に挟んで固定する固定部材２と、手袋２の掌部分から指部分までの少なくとも一部が上記支持板に接触するように積層体８を仮保持する袋体３と、を備える。【選択図】図１
2016166040.tif 000002
【特許請求の範囲】
【請求項１】
複数枚のシート状の手袋が同じ向きで積み重ねられた積層体を保持する手袋保持具であって、
上記手袋は、互いの周縁部がつなげられた背面側シートおよび正面側シートが重なり合うとともに手首側に挿入口を有し、かつ、上記背面側シートにおいて上記正面側シートよりも手首側に延出する手首側延出部を有する構成とされており、
上記積層体を支持するための支持板と、上記積層体における上記手袋の上記手首側延出部を上記支持板に固定する固定手段と、上記手袋の掌部分から指部分までの少なくとも一部が上記支持板に接触するように上記積層体を仮保持する仮保持手段と、を備えることを特徴とする、手袋保持具。
【請求項２】
上記支持板、上記固定手段および上記積層体を収容し、かつ所定の開口を有する袋体をさらに備え、
上記仮保持手段は、上記袋体を含んで構成されており、
上記支持板および上記積層体は、上記袋体と接触することによって当該袋体の内部での動きが制限され、
上記開口は、上記積層体に対して上記支持板とは反対側において、少なくとも上記手袋における上記挿入口が臨む部位に形成されている、請求項１に記載の手袋保持具。
【請求項３】
上記支持板の両側縁から、当該支持板に対して上記積層体が重ねられる方向に起ち上がる一対の側板と、当該一対の側板につながり、上記積層体を間に挟んで上記支持板に対向する正面板と、をさらに備え、
上記仮保持手段は、上記正面板および上記一対の側板を含んで構成されており、
上記正面板には、少なくとも上記手袋における上記挿入口が臨む部位に所定の開口が形成されている、請求項１に記載の手袋保持具。
【請求項４】
上記支持板には、上記仮保持手段を構成し、上記積層体における上記手袋の指部分の少なくとも一部を通すための貫通孔が形成されている、請求項１に記載の手袋保持具。
【請求項５】
上記支持板から屈曲して延びる延出板を備え、
上記延出板は、上記固定手段が設けられた部位またはその近傍において、上記支持板に対して上記積層体が位置するのと反対側に延びており、
上記支持板において上記固定手段が設けられた部位から上記貫通孔の形成部位に向かう方向に延びる少なくとも一方の第１側縁と、上記延出板において当該第１側縁に繋がる第２側縁とは、同一平面上に位置する、請求項４に記載の手袋保持具。
【請求項６】
上記支持板は、上記固定手段が設けられた主板部と、当該主板部から屈曲して延びる延出板部と、を有し、
上記延出板部に対して連結部を介して回動可能に連結された挟持板をさらに備え、
上記仮保持手段は、上記延出板部および上記挟持板を含んで構成されており、
水平面に沿う姿勢の上記挟持板に対して上記延出板部が上方に位置して当該挟持板に対向する挟持状態において、上記挟持板および上記延出板部の間に上記積層体における上記手袋の指部分が挟まれており、
上記挟持状態において上記主板部が上方に延びている、請求項１に記載の手袋保持具。
【請求項７】
上記延出板部と上記主板部とのなす角度は９０度よりも大であり、
上記挟持状態にあるとき、上記主板部における下方を向く面側に上記積層体が配される、請求項６に記載の手袋保持具。
【請求項８】
請求項２または３に記載の手袋保持具と、上記手袋保持具における上記開口が下方を向き、かつ上記支持板が傾斜する姿勢で上記手袋保持具を支持可能なケースと、を備えることを特徴とする、手袋保持具とケースとのセット。
【請求項９】
上記ケースは、上記手袋保持具を、使用状態と不使用状態とに姿勢を切り替えることが可能である、請求項８に記載の手袋保持具とケースとのセット。
【発明の詳細な説明】
【技術分野】
【０００１】
本発明は、複数枚のシート状の手袋が積み重ねられた積層体を保持する手袋保持具、およびこの手袋保持具とケースとのセットに関する。
【背景技術】
【０００２】
たとえば樹脂製の使い捨て手袋が、医療業務、食品取り扱い業務、清掃等の幅広い分野において使用されている。当該手袋は、たとえば薄いシート状であり、複数枚が積み重ねられて形成された積層体から１枚ずつ分離して使用される。一般に、上記の使い捨て用の手袋は、常時装着するものではなく、必要なときだけその都度装着するものである。したがって、手袋の使用に際しては、容易に装着可能であることが望まれる。これに対し、複数枚の手袋からなる積層体を吊るすための手袋保持具が提案されている（たとえば、特許文献１を参照）。
【０００３】
特許文献１に開示された手袋保持具においては、手袋が複数枚積層された状態で支持板に固定されている。この支持板を壁等にフックで引っ掛けて吊り下げた状態で使用する。手袋は、たとえば樹脂製のフィルムを２枚貼り合わせて製造された使い捨て手袋である。より具体的には、当該使い捨て手袋は、互いの周縁部がつなげられた背面側シートおよび正面側シートが重なり合っており、手首側に挿入口を有する。背面側シートは正面側シートよりも手首側に延出する手首側延出部を有する。手首側延出部には、吊り下げ用の孔が２箇所に設けられている。このような構成の手袋が複数枚同じ向きで積み重ねられて積層体が形成される。そして、この積層体は、特許文献１の図２に示されるように、手袋の背面側シートが支持板側に向けられ、手首側が上位、かつ指先側が下位に位置するように、垂直な壁面に沿って吊り下げられる。このような構成によれば、同文献の図３に示されるように、手首側の挿入口を通じて、上方から下方に向けて手指を挿し込み、手袋を装着することができる。
【０００４】
しかしながら、特許文献１に開示された手袋保持具においては、同文献の図３に表れているように、壁側に手の甲を向けた状態（同図では右手）で手袋を装着するのは容易であるが、壁側に掌を向けた状態（特許文献１の図３に示された手袋に対しては左手）で手袋を装着するのは、人間の腕の動きを考慮すると困難を伴う。したがって、上記従来の手袋保持具によれば、左右両手に手袋を容易に装着するには、右手用と左手用の手袋保持具を別個に準備する必要がある。また、手袋についても、左右対称となる２種類の手袋を別途用意する必要がある。その結果、手袋保持具の設置スペースが大きくなり、コスト面においても高くついてしまう。
【先行技術文献】
【特許文献】
【０００５】
【特許文献１】特開２０１４−２３４２１３号公報
【発明の概要】
【発明が解決しようとする課題】
【０００６】
本発明は、このような事情のもとで考え出されたものであって、複数枚のシート状の手袋が積み重ねられた積層体を保持する手袋保持具において、左右両手用として兼用するのに適した手袋保持具を提供することを主たる課題とする。
【課題を解決するための手段】
【０００７】
上記の課題を解決するため、本発明では、次の技術的手段を講じている。
【０００８】
本発明の第１の側面によって提供される手袋保持具は、複数枚のシート状の手袋が同じ向きで積み重ねられた積層体を保持する手袋保持具であって、上記手袋は、互いの周縁部がつなげられた背面側シートおよび正面側シートが重なり合うとともに手首側に挿入口を有し、かつ、上記背面側シートにおいて上記正面側シートよりも手首側に延出する手首側延出部を有する構成とされており、上記積層体を支持するための支持板と、上記積層体における上記手袋の上記手首側延出部を上記支持板に固定する固定手段と、上記手袋の掌部分から指部分までの少なくとも一部が上記支持板に接触するように上記積層体を仮保持する仮保持手段と、を備えることを特徴としている。
【０００９】
好ましい実施の形態においては、上記支持板、上記固定手段および上記積層体を収容し、かつ所定の開口を有する袋体をさらに備え、上記仮保持手段は、上記袋体を含んで構成されており、上記支持板および上記積層体は、上記袋体と接触することによって当該袋体の内部での動きが制限され、上記開口は、上記積層体に対して上記支持板とは反対側において、少なくとも上記手袋における上記挿入口が臨む部位に形成されている。
【００１０】
好ましい実施の形態においては、上記支持板の両側縁から、当該支持板に対して上記積層体が重ねられる方向に起ち上がる一対の側板と、当該一対の側板につながり、上記積層体を間に挟んで上記支持板に対向する正面板と、をさらに備え、上記仮保持手段は、上記正面板および上記一対の側板を含んで構成されており、上記正面板には、少なくとも上記手袋における上記挿入口が臨む部位に所定の開口が形成されている。
【００１１】
好ましい実施の形態においては、上記支持板には、上記仮保持手段を構成し、上記積層体における上記手袋の指部分の少なくとも一部を通すための貫通孔が形成されている。
【００１２】
好ましい実施の形態においては、上記支持板から屈曲して延びる延出板を備え、上記延出板は、上記固定手段が設けられた部位またはその近傍において、上記支持板に対して上記積層体が位置するのと反対側に延びており、上記支持板において上記固定手段が設けられた部位から上記貫通孔の形成部位に向かう方向に延びる少なくとも一方の第１側縁と、上記延出板において当該第１側縁に繋がる第２側縁とは、同一平面上に位置する。
【００１３】
好ましい実施の形態においては、上記支持板は、上記固定手段が設けられた主板部と、当該主板部から屈曲して延びる延出板部と、を有し、上記延出板部に対して連結部を介して回動可能に連結された挟持板をさらに備え、上記仮保持手段は、上記延出板部および上記挟持板を含んで構成されており、水平面に沿う姿勢の上記挟持板に対して上記延出板部が上方に位置して当該挟持板に対向する挟持状態において、上記挟持板および上記延出板部の間に上記積層体における上記手袋の指部分が挟まれており、上記挟持状態において上記主板部が上方に延びている。
【００１４】
好ましい実施の形態においては、上記延出板部と上記主板部とのなす角度は９０度よりも大であり、上記挟持状態にあるとき、上記主板部における下方を向く面側に上記積層体が配される。
【００１５】
本発明の第２の側面によって提供される手袋保持具とケースとのセットは、本発明の第１の側面による手袋保持具と、上記手袋保持具における上記開口が下方を向き、かつ上記支持板が傾斜する姿勢で上記手袋保持具を支持可能なケースと、を備えることを特徴としている。
【００１６】
好ましい実施の形態においては、上記ケースは、上記手袋保持具を、使用状態と不使用状態とに姿勢を切り替えることが可能である。
【００１７】
本発明のその他の特徴および利点は、添付図面を参照して以下に行う詳細な説明によって、より明らかとなろう。
【図面の簡単な説明】
【００１８】
【図１】本発明に係る手袋保持具の第１実施形態を示す斜視図である。
【図２】手袋の手首側延出部を支持板と固定手段との間に挟んだ状態を示す斜視図である。
【図３】手袋の斜視図である。
【図４】図３のＩＶ−ＩＶ線に沿う断面図である。
【図５】図１の手袋保持具をケースに収容した状態の一例を示す正面図である。
【図６】図５のＶＩ−ＶＩ線に沿う断面図である。
【図７】手袋保持具の姿勢の態様を模式的に表す図である。
【図８】手袋保持具の姿勢の態様を模式的に表す図である。
【図９】本発明に係る手袋保持具の第２実施形態を示す斜視図である。
【図１０】図９の手袋保持具をケースに収容した状態の一例を示す正面図である。
【図１１】図１０のＸＩ−ＸＩ線に沿う断面図である。
【図１２】本発明に係る手袋保持具の第３実施形態を示す斜視図である。
【図１３】図１２の手袋保持具の使用状態の一例を示す斜視図である。
【図１４】図１２の手袋保持具の使用状態の他の例示す斜視図である。
【図１５】本発明に係る手袋保持具の第４実施形態を示す斜視図である。
【図１６】図１５の手袋保持具に積層体を保持させる方法を説明するための図である。
【図１７】図１５の手袋保持具の使用状態を示す側面図である。
【発明を実施するための形態】
【００１９】
以下、本発明の好ましい実施の形態について、図面を参照して具体的に説明する。
【００２０】
図１は、本発明に係る手袋保持具の第１実施形態を示す。本実施形態の手袋保持具Ａ１は、複数枚のシート状の手袋７からなる積層体８を保持するものである。手袋保持具Ａ１は、支持板１と、固定部材２と、袋体３と、を備えて構成されている。
【００２１】
図３、図４に示すように、手袋７は、互いに重なり合う背面側シート７１および正面側シート７２を備え、これらの周縁部どうしがつながるとともに手首側に挿入口７３を有する。背面側シート７１は、正面側シート７２より手首側に延出する手首側延出部７１１を有する。手首側延出部７１１の中央にはミシン目７１２が形成されている。このミシン目７１２により、手首側延出部７１１の中央の一部分を容易に切り離すことが可能となっている。手袋７は、たとえばポリエチレンなどの樹脂製フィルムからなる。
【００２２】
図２に示すように、積層体８は、複数枚の手袋７が同じ向きで積み重ねられて構成されている。積層体８は、背面側シート７１が支持板１側に向けられた状態で当該支持板１に載置されており、各手袋７の手首側部分が固定部材２によって固定されている。より具体的には、たとえば、固定部材２が支持板１に設けられた状態において、積層体８における手袋７の手首側延出部７１１が、固定部材２と支持板１との間に挟まれている。固定部材２は、たとえば金属材料あるいは樹脂材料からなる。手首側延出部７１１において固定部材２によって固定される箇所は、中央のミシン目７１２で囲まれた部分である。
【００２３】
袋体３は、支持板１、固定部材２および積層体８（複数枚の手袋７）を収容するものである。袋体３には、開口３１が形成されている。開口３１は、積層体８に対して支持板１とは反対側に形成されている。開口３１は、少なくとも手袋７の挿入口７３が臨む部位に形成されている。
【００２４】
積層体８（複数枚の手袋７）が袋体３に収容された状態において、手袋７の指部分が折り畳まれている。このため、袋体３がどのような姿勢をとる場合でも、袋体３と支持板１との間にある積層体８（複数枚の手袋７）の動きが制限される。これにより、手袋７の掌部分から指部分までの少なくとも一部は、支持板１に接触する（図６を参照。詳細は後述する）。袋体３は、本発明でいう仮保持手段の役割を担う。
【００２５】
上記構成の手袋保持具Ａ１は、たとえば図５、図６に示すように、ケースＢ１に収容して使用することができる。ケースＢ１は、外側ケース部材４および内側ケース部材５を備えて構成される。外側ケース部材４は、概略中空の長矩形枠状とされている。外側ケース部材４の周壁の内側には、一部（図６中左寄りの部位）を除いて所定の高さ位置で平坦に拡がる支持壁４１が形成されている。外側ケース部材４の長手方向に沿う周壁には、短手方向内側を向く軸受部４２が形成されている。
【００２６】
内側ケース部材５は、手袋保持具Ａ１を収容するとともに、姿勢を変更することが可能となっている。具体的には、内側ケース部材５は、概略中空の長矩形箱状とされている。内側ケース部材５の長手方向一端は開口しており、この開口部分から手袋保持具Ａ１を挿入することが可能である。内側ケース部材５にはまた、開口部分から長手方向に延びる切り欠き５１が形成されている。図５によく表れているように、手袋保持具Ａ１は、袋体３の開口３１が切り欠き５１に臨むようにして内側ケース部材５に収容される。内側ケース部材５の長手方向他端寄りには立壁５２が形成されており、立壁５２の一辺から長手方向他端に向けて延びる延出部５３が形成されている。そして、内側ケース部材５の長手方向他端は、傾斜面５４とされている。内側ケース部材５の長手方向に沿う周壁には、短手方向外側を向く回動軸５５が形成されている。この回動軸５５は、外側ケース部材４の軸受部４２によって回動可能に支持される。
【００２７】
内側ケース部材５は、図６において仮想線で示すように、横倒し姿勢で外側ケース部材４の内側空間に収納することができる。このとき、内側ケース部材５は、外側ケース部材４の支持壁４１に支持されている。
【００２８】
上記構成のケースＢ１は、たとえば水平面Ｓ（たとえば机・テーブル等の表面）に置かれる。ここで、外側ケース部材４の下面４０１は水平面Ｓに当接している。手袋７を使用する際には、内側ケース部材５を、図６において実線で示すように、傾斜した起き上がり姿勢とする。横倒し姿勢をとる内側ケース部材５の起き上がり姿勢への姿勢変更は、延出部５３を下方に押圧することにより行う。図６において矢印Ｆ１で示すように延出部５３を押し下げると、内側ケース部材５は、回動軸５５が軸受部４２に支持されながら回動し、実線で示した起き上がり姿勢をとる。このとき、内側ケース部材５は、傾斜面５４が水平面Ｓに当接しており、また、図６において右側に位置する周壁が支持壁４１の左側端部に接触する。このようにして、内側ケース部材５が傾斜した起き上がり姿勢をとるとき、その姿勢で安定する。
【００２９】
図５、図６から理解されるように、内側ケース部材５が起き上がり姿勢をとるとき、この内側ケース部材５に収容支持された手袋保持具Ａ１についても、傾斜した姿勢をとる。このとき、袋体３の開口３１は斜め下方を向いている。手袋７の手首側は指先側よりも高い位置にある。また、内側ケース部材５の切り欠き５１の正面前方には十分なスペースが確保される。これにより、袋体３に収容された手袋７のうち最も開口３１寄りに位置するものについては、正面側シート７２が、自重によって袋体３の開口３１、内側ケース部材５の切り欠き５１を通じて垂れ下がり、挿入口７３が適度に開く。そして、手袋７を装着する際、手袋７の使用者は、挿入口７３を通じて斜め下方に向かって手指を挿し込み、指部分を開口３１、切り欠き５１を通じて引き出しながら手袋７を装着する。手袋７の装着後は手を下げることにより、手首側延出部７１１の一部（ミシン目７１２で囲まれた部分）を残して、装着済の手袋７を固定部材２から分離することができる。
【００３０】
次に、本実施形態の作用について説明する。
【００３１】
本実施形態において、手袋保持具Ａ１は、複数枚のシート状の手袋７が同じ向きで積み重ねられた積層体８を支持する支持板１と、積層体８における手袋７の手首側延出部７１１を支持板１に固定する固定部材２と、を備える。支持板１、固定部材２および積層体８は、開口３１を有する袋体３に収容されている。これにより、袋体３の姿勢にかかわらず、袋体３と支持板１との間にある積層体８（複数枚の手袋７）の動きが制限され、手袋７の掌部分から指部分までの少なくとも一部が支持板１に接触するように積層体８が袋体３に支持される。また、開口３１は、積層体８に対して支持板１とは反対側において、手袋７の挿入口７３が臨む部位に形成されている。
【００３２】
このような構成によれば、袋体３を、開口３１が横方向ないし下方（開口３１の向く方向が、水平方向ないし水平方向よりも下側方向である場合）を向く姿勢をとらせる。そうすると、袋体３に収容された手袋７のうち最も開口３１寄りに位置するものについては、正面側シート７２が、自重によって開口３１を通じて垂れ下がり、挿入口７３が適度に開く。したがって、手袋保持具Ａ１によれば、手袋７の装着を容易に行うことができる。
【００３３】
また、袋体３（手袋保持具Ａ１）の姿勢を適宜選択することにより、左右両手それぞれへの手袋７の装着を容易に行うことが可能となる。たとえば、図７において模式的に示すように、袋体３を、開口３１が横方向を向き、かつ手袋７の指先部分と手首部分が略同じ高さとなる姿勢にしておく。同図から理解されるように、右手・左手のいずれにおいても手を前方に突き出すことにより、無理なく手袋７を装着することができる。したがって、手袋保持具Ａ１は、右手用と左手用の区別なく使用するのに適する。
【００３４】
図８は、袋体３（手袋保持具Ａ１）がとる姿勢を例示している。図８（ａ）は、開口３１が横方向を向き、かつ手袋７の指先部分が手首部分よりも低い位置になる姿勢を示す。図８（ｂ）は、開口３１が横方向を向き、かつ手袋７の指先部分が手首部分よりも高い位置になる姿勢を示す。図８（ｃ）は、開口３１が下方を向き、かつ手袋７の指先部分と手首部分が略同じ高さとなる姿勢を示す。図８（ｄ）は、開口３１が下方を向き、かつ手袋７の指先部分が手首部分よりも低い位置になる姿勢を示す。図８（ｅ）は、開口３１が下方を向き、かつ手袋７の指先部分が手首部分よりも高い位置になる姿勢を示す。
【００３５】
図８（ａ）〜（ｅ）に示したいずれの場合であっても、図７の場合と同様に、左右両方の手について手袋７を容易に装着することができる。したがって、手袋保持具Ａ１は、左右両手用として兼用するのに適している。
【００３６】
また、図５、図６を参照して説明したように、手袋保持具Ａ１は、ケースＢ１と組み合わせて使用することができる。ケースＢ１を用いることにより、手袋７を装着する際、手袋保持具Ａ１を所定の傾斜姿勢に維持することができる。したがって、手袋７の装着をより容易に行うことができる。
【００３７】
手袋保持具Ａ１の不使用時には、図６において仮想線で示したように、内側ケース部材５を横倒し姿勢とすることにより、コンパクトに収納することができる。このとき、内側ケース部材５の切り欠き５１および袋体３の開口３１は、支持壁４１によって塞がれた状態となる。したがって、袋体３内の手袋７が外部に露出することはなく、収納時において衛生的に優れている。
【００３８】
手袋７を装着する際、たとえば横倒し姿勢の内側ケース部材５の延出部５３を肘で押し下げることにより、図６において実線で示すように、内側ケース部材５を傾斜した起き上がり姿勢にする（図６において実線で示した姿勢）。ここで、上記したように、手袋の挿入口７３が開いているため、挿入口７３を通じて手指を手袋７の内側に挿し込むことにより、手袋７を装着することができる。収納状態から手袋７を装着するまでの一連の作業において、手袋７の外面、あるいは手袋保持具Ａ１、ケースＢ１等の外物を手で直接触れる必要はない。したがって、ケースＢ１を用いた構成によれば、手袋７を装着する際においても衛生的に優れている。なお、手袋７を装着した後、たとえば内側ケース部材５の右側上方端部を肘等で押し下げることにより、手袋７を装着後の手でケースＢ１等を直接触れることなく、内側ケース部材５を横倒し姿勢（収納状態）に戻すことができる。
【００３９】
図９は、本発明に係る手袋保持具の第２実施形態を示している。なお、図９以降の図においては、上記実施形態と同一または類似の要素には、上記実施形態と同一の符号を付しており、適宜説明を省略する。
【００４０】
本実施形態の手袋保持具Ａ２は、支持板１を有する箱体１０と、固定部材２と、を備えて構成されている。
【００４１】
箱体１０は、固定部材２および積層体８（複数枚の手袋７）を収容するものである。箱体１０は、支持板１の長手方向に沿う両側縁から、支持板１に対して積層体８が重ねられる方向に起ち上がる一対の側板１１と、当該一対の側板１１につながり、積層体８を間に挟んで支持板１に対向する正面板１２と、支持板１、一対の側板１１、および正面板１２の長手方向の両端を塞ぐ頂板１３および底板１４と、を有する。箱体１０は、たとえば厚紙製である。
【００４２】
正面板１２には、開口１２１が形成されている。開口１２１は、少なくとも手袋７の挿入口７３が臨む部位に形成されている。たとえば、正面板１２において、開口１２１となる部分の周縁にはミシン目が形成されており、このミシン目に囲まれた部分を切り離すことにより、開口１２１が形成される。
【００４３】
積層体８（複数枚の手袋７）が箱体１０に収容された状態において、手袋７の指部分が折り畳まれている。このため、箱体１０がどのような姿勢をとる場合でも、支持板１、一対の側板１１、および正面板１２で囲まれた空間にある積層体８（複数枚の手袋７）の動きが制限される。これにより、手袋７の掌部分から指部分までの少なくとも一部は、支持板１に接触する。正面板１２および一対の側板１１は、本発明でいう仮保持手段の役割を担う。
【００４４】
上記構成の手袋保持具Ａ２は、たとえば図１０、図１１に示すように、ケースＢ２に収容して使用することができる。図１０は、手袋保持具Ａ２をケースＢ２に収容した状態の正面図である。図１１は図１０のＸＩ−ＸＩ線に沿う断面図であるが、手袋保持具Ａ２については外観を表している。
【００４５】
ケースＢ２は、概略直方形状の中空状の収容箱６を含んで構成される。収容箱６は、たとえば金属製の板材を用いて形成されている。収容箱６の正面側の概ね下半分には開口６１が設けられている。収容箱６の背面内側の左右両端には、上下に延びる一対の柱状部６２が設けられている。収容箱６の正面内側の左右両端には、背面側に向かって斜め下方に延びる支持片６３が設けられている。また、収容箱６の背面側下方には、コイルばね６４が設けられている。コイルばね６４は、左右一対の柱状部６２に橋渡しされた水平軸６５によって所定姿勢で支持されている。
【００４６】
手袋保持具Ａ２は、収容箱６の内部に収容される。図１０、図１１から理解されるように、手袋保持具Ａ２は、開口１２１が下方を向いた傾斜姿勢で支持されている。具体的には、正面板１２において手袋７の手首側に対応する部分が支持片６３に支持され、正面板１２において手袋７の指先側に対応する部分がコイルばね６４に支持されている。このコイルばね６４により上向きの付勢力が作用している。また、支持板１および底板１４が突き当たる角部は、一対の柱状部６２に当接している。このようにして、手袋保持具Ａ２は、所定の傾斜姿勢で支持されている。なお、本実施形態においては、図１１に示すように、支持片６３およびコイルばね６４に支持された手袋保持具Ａ２の上に、他の手袋保持具Ａ２を積み重なることが可能である。
【００４７】
図１１に示したように傾斜姿勢をとる手袋保持具Ａ２において、手袋７の手首側は指先側よりも高い位置にある。また、開口１２１の正面前方には十分なスペースが確保される。これにより、箱体１０に収容された手袋７のうち最も開口１２１寄りに位置するものについては、正面側シート７２が、自重によって開口１２１を通じて垂れ下がり、挿入口７３が適度に開く。そして、手袋７を装着する際、手袋７の使用者は、ケースＢ２（収容箱６）の開口６１を通じて収容箱６内部に手を入れつつ、挿入口７３を通じて斜め下方に向かって手指を挿し込み、指部分を開口１２１を通じて引き出しながら手袋７を装着する。手袋７の装着後は手を下げることにより、手首側延出部７１１の一部（図２、図３に示したミシン目７１２で囲まれた部分）を残して、装着済の手袋７を固定部材２から分離することができる。
【００４８】
本実施形態において、手袋保持具Ａ２は、箱体１０を含んで構成されており、箱体１０は、支持板１の両側縁から起ち上がる一対の側板１１と、積層体８を間に挟んで支持板１に対向する正面板１２と、を有する。これにより、箱体１０の姿勢にかかわらず、支持板１、一対の側板１１、および正面板１２で囲まれた空間にある積層体８（複数枚の手袋７）の動きが制限され、手袋７の掌部分から指部分までの少なくとも一部が支持板１に接触するように積層体８が箱体１０に支持される。また、開口１２１は、正面板１２において手袋７の挿入口７３が臨む部位に形成されている。
【００４９】
このような構成によれば、箱体１０を、開口１２１が横方向ないし下方（開口１２１の向く方向が、水平方向ないし水平方向よりも下側方向である場合）を向く姿勢をとらせる。そうすると、箱体１０に収容された手袋７のうち最も開口１２１寄りに位置するものについては、正面側シート７２が、自重によって開口１２１を通じて垂れ下がり、挿入口７３が適度に開く。したがって、手袋保持具Ａ２によれば、手袋７の装着を容易に行うことができる。また、図７、図８を参照して上述した手袋保持具Ａ１の場合と同様に、本実施形態においても箱体１０（手袋保持具Ａ２）の姿勢を適宜選択することにより、左右両手それぞれへの手袋７の装着を容易に行うことが可能となる。したがって、手袋保持具Ａ２は、左右両手用として兼用するのに適している。
【００５０】
また、図１０、図１１を参照して説明したように、手袋保持具Ａ２は、ケースＢ２と組み合わせて使用することができる。ケースＢ２を用いることにより、手袋７を装着する際、手袋保持具Ａ２を所定の傾斜姿勢に維持することができる。したがって、手袋７の装着をより容易に行うことができ、左右両手用として兼用するのに適している。
【００５１】
図１１に示したように、ケースＢ２の内部には、複数の手袋保持具Ａ２が傾斜姿勢で積み重ねられている。支持片６３およびコイルばね６４に支持された、最も下位にある手袋保持具Ａ２内部の手袋７をすべて使用すると、当該手袋保持具Ａ２（箱体１０）を、コイルばね６４の付勢力に抗して引き下ろすことにより、使用済みの手袋保持具Ａ２（箱体１０）を取り外すことができる。未使用の手袋保持具Ａ２が支持片６３およびコイルばね６４に支持され、引き続き手袋７の供給が可能となる。したがって、本実施形態のケースＢ２は、たとえば手袋７の消費量が多い業務用に適している。
【００５２】
図１２〜図１４は、本発明に係る手袋保持具の第３実施形態を示している。本実施形態の手袋保持具Ａ３は、支持板１と、固定部材２と、延出板１５とを備えて構成されている。
【００５３】
図１２に示すように、支持板１には貫通孔１０５が形成されている。貫通孔１０５は、固定部材２から所定距離離れた位置に形成されており、支持板１の幅方向において長状である。図１３に示すように、貫通孔１０５には、積層体８における手袋７の指部分の少なくとも一部が通されている。積層体８を固定部材２によって固定する際には、図１２に示すように、積層体８における手袋７の手首側を支持板１の裏面１０３側から貫通孔１０５に通し、手袋７の手首側延出部７１１を固定部材２と支持板１との間に挟む。そうすると、図１３に示すように、積層体８は、手袋７の掌部分が支持板１の表面１０２側に位置し、また、指部分の一部が貫通孔１０５を通じて支持板１の裏面１０３側に位置する。これにより、手袋７の掌部分から指部分までの少なくとも一部は、支持板１に接触する。そして、手袋７の一部が貫通孔１０５に通されることで手袋７と支持板１との接触摩擦が生じ、手袋７（積層体８）の姿勢が保持される。貫通孔１０５は、本発明でいう仮保持手段の役割を担う。
【００５４】
延出板１５は、支持板１から屈曲して所定方向に延びている。延出板１５は、固定部材２が設けられた部位において、支持板１に対して積層体８が位置する表面１０２側とは反対側（裏面１０３側）に延びている。本実施形態においては、支持板１において固定部材２が設けられた部位から貫通孔１０５の形成部位に向かう方向に延びる少なくとも一方の側縁１０１（第１側縁）と、延出板１５において当該側縁１０１に繋がる側縁１５１（第２側縁）とは、同一平面上に位置する。
【００５５】
本実施形態の手袋保持具Ａ３によれば、たとえば、延出板１５の先端１５２が上位、支持板１の先端１０６が下位となる姿勢（図１３に示した姿勢）にて、これら先端１５２，１０６を垂直な壁面に当接させて当該壁面に固定する。そうすると、支持板１は、上方に向かうほど壁面から離れるように傾斜する。支持板１によって支持された積層体８（複数枚の手袋７）も傾斜姿勢で保持される。そして、傾斜姿勢の積層体８の最も表側にある手袋７については、正面側シート７２が自重によって垂れ下がり、挿入口７３が適度に開く。
【００５６】
手袋７を装着する際、使用者は、挿入口７３を通じて斜め下方に向かって手指を挿し込み、指部分を貫通孔１０５から引き出しながら手袋７を装着する。したがって、手袋保持具Ａ３によれば、手袋７の装着を容易に行うことができ、左右両手用として兼用するのに適している。
【００５７】
支持板１の側縁１０１と、この側縁１０１に繋がる、延出板１５の側縁１５１とは、同一平面上に位置する。これにより、たとえば図１４に示すように、側縁１０１，１５１が水平な支持面に当接するように横置きの姿勢をとらせることができる。図１４に示した状態での手袋７の姿勢は、図７に示した状態の手袋７の姿勢とはほぼ同じである。したがって、手袋保持具Ａ３によれば、図１４に示した横置き姿勢の使用状態においても、手袋７の装着を容易に行うことができるとともに左右両手用として兼用するのに適している。
【００５８】
このようなことから理解されるように、手袋保持具Ａ３によれば、手袋７を装着する際に望まれる動作に合わせて、設置場所に応じた使い方を提供することができる。
【００５９】
図１５〜図１７は、本発明に係る手袋保持具の第４実施形態を示している。本実施形態の手袋保持具Ａ４は、支持板１と、固定部材２と、挟持板１６と、を備えて構成されている。
【００６０】
支持板１は、主板部１Ａと、当該主板部１Ａから屈曲して延びる延出板部１Ｂと、を有する。延出板部１Ｂと主板部１Ａとのなす角度は、９０度よりも大である。固定部材２は、主板部１Ａに設けられている。
【００６１】
挟持板１６は、連結部１７を介して延出板部１Ｂに連結されている。連結部１７は、たとえばヒンジ機構が用いられており、挟持板１６および延出板部１Ｂは、連結部１７の軸心Ｏ１周りに相対回動可能である。
【００６２】
手袋保持具Ａ４を用いて積層体８（複数枚の手袋７）を保持させる際には、まず、図１６に示すように、挟持板１６および延出板部１Ｂが互いに開いた状態にて、手袋７の手首側延出部７１１を固定部材２と主板部１Ａとの間に挟む。次に、図１６において矢印Ｎ１で示すように、挟持板１６を延出板部１Ｂに近づくように回動させ、手袋７の指部分を挟む（図１６において仮想線で示した挟持板１６を参照）。次いで、手袋７の指部分を挟んだまま、矢印Ｎ２で示す方向に支持板１および挟持板１６を回動させて、挟持板１６を水平面上に載置する（図１６において仮想線で示した支持板１を参照）。このようにして、図１５、図１７に表れているように、手袋保持具Ａ４を用いて積層体８（複数枚の手袋７）を保持させることができる。
【００６３】
本実施形態においては、図１７によく表れているように、水平面Ｓに沿う姿勢の挟持板１６に対して延出板部１Ｂが上方に位置して当該挟持板１６に対向しており、挟持板１６および延出板部１Ｂの間に積層体８における手袋７の指部分が挟まれている。手袋７の指部分は、支持板１の自重によって、挟持板１６および延出板部１Ｂの間に挟まれて支持板１に接触する状態となる。延出板部１Ｂおよび挟持板１６は、本発明でいう仮保持手段の役割を担う。
【００６４】
図１７に示すように、主板部１Ａは傾斜姿勢で上方に延びており、主板部１Ａにおける下方を向く面側に積層体８が配される。ここで、支持板１（主板部１Ａ）によって支持された積層体８（複数枚の手袋７）も傾斜姿勢で保持される。傾斜姿勢の積層体８の最も表側にある手袋７については、正面側シート７２が自重によって垂れ下がり、挿入口７３が適度に開く。
【００６５】
手袋７を装着する際、使用者は、挿入口７３を通じて斜め下方に向かって手指を挿し込み、指部分を引き出しながら手袋７を装着する。したがって、手袋保持具Ａ４によれば、手袋７の装着を容易に行うことができ、左右両手用として兼用するのに適している。
【００６６】
以上、本発明の具体的な実施形態を説明したが、本発明はこれに限定されるものではなく、発明の思想から逸脱しない範囲内で種々な変更が可能である。本発明に係る手袋保持具およびケースの各部の具体的な構成は、種々に設計変更自在である。
【００６７】
手袋７の掌部分から指部分までの少なくとも一部を支持板１に接触するように積層体８を仮保持するための仮保持手段の構成としては、上記実施形態で示した以外にも種々に変更可能である。たとえば、コイルばねやゴムひも等の弾性部材の付勢力を利用して手袋７の一部を支持板１に押し付ける構成や、錘として機能する部材を用いてその自重により手袋７の一部を支持板１に押し付ける構成を採用することもできる。
【符号の説明】
【００６８】
Ａ１，Ａ２，Ａ３，Ａ４    手袋保持具
Ｂ１，Ｂ２    ケース
Ｓ          水平面
１          支持板
１Ａ        主板部
１Ｂ        延出板部
１０        箱体
１０１      側縁（第１側縁）
１０２      表面
１０３      裏面
１０５      貫通孔
１０６      先端
１１        側板
１２        正面板
１２１      開口
１３        頂板
１４        底板
１５        延出板
１５１      側縁（第２側縁）
１５２      先端
１６        挟持板
１７        連結部
２          固定部材（固定手段）
３          袋体
３１        開口
４          外側ケース部材
４０１      下面
４１        支持壁
４２        軸受部
５          内側ケース部材
５１        切り欠き
５２        立壁
５３        延出部
５４        傾斜面
５５        回動軸
６          収容箱
６１        開口
６２        柱状部
６３        支持片
６４        コイルばね
６５        水平軸
７          手袋
７１        背面側シート
７１１      手首側延出部
７１２      ミシン目
７２        正面側シート
７３        挿入口
８          積層体
【図１】
2016166040.tif 000003
【図２】
2016166040.tif 000004
【図３】
2016166040.tif 000005
【図４】
2016166040.tif 000006
【図５】
2016166040.tif 000007
【図６】
2016166040.tif 000008
【図７】
2016166040.tif 000009
【図８】
2016166040.tif 000010
【図９】
2016166040.tif 000011
【図１０】
2016166040.tif 000012
【図１１】
2016166040.tif 000013
【図１２】
2016166040.tif 000014
【図１３】
2016166040.tif 000015
【図１４】
2016166040.tif 000016
【図１５】
2016166040.tif 000017
【図１６】
2016166040.tif 000018
【図１７】
2016166040.tif 000019